(57)【要約】【課題】口栓を下側にして袋状容器を外箱に収納しても、流通過程や店頭などで液漏れの危惧がない液漏れ防止ホルダー付口栓を提供する。【解決手段】口栓10が口栓本体100 と液漏れ防止ホルダー200 とからなり、口栓本体は、上方よりコックノズル部、流導筒部、ホルダー取付鍔部、取付環状台座部とからなり、かつ流導筒部の左右側面のほぼ前後方向中央位置に、所定幅の位置決め用縦リブ131 をそれぞれに設け、液漏れ防止ホルダーは、上方より天板、左右側板、下面に取付溝をもつ取付部とからなり、かつ左右側板の下方内側に、口栓本体の流導筒部の左右側面に設けられた位置決め用縦リブの左右両端が当接する幅の段差を前方から所定位置まで設けた振れ止め用横リブ221 を対向させてそれぞれに設け、液漏れ防止ホルダーの取付部の取付溝に、口栓本体のホルダー取付鍔部を挿入させて、液漏れ防止ホルダーを口栓本体に取り付ける。【選択図】図１
2006008146.tif 000002
【特許請求の範囲】
【請求項１】
バッグ・イン・ボックスの外箱に収納する袋状容器に取り付ける口栓において、口栓が口栓本体と液漏れ防止ホルダーとからなり、口栓本体は、上方よりコックノズル部、流導筒部、ホルダー取付鍔部、取付環状台座部とからなり、かつ流導筒部の左右側面のほぼ前後方向中央位置に、所定幅の位置決め用縦リブをそれぞれに設け、液漏れ防止ホルダーは、上方より天板、左右側板、下面に取付溝をもつ取付部とからなり、かつ左右側板の下方内側に、口栓本体の流導筒部の左右側面に設けられた位置決め用縦リブの左右両端が当接する幅の段差を前方から所定位置まで設けた振れ止め用横リブを対向させてそれぞれに設け、液漏れ防止ホルダーの取付部の取付溝に、口栓本体のホルダー取付鍔部を挿入させて、液漏れ防止ホルダーを口栓本体に取り付けたことを特徴とする液漏れ防止ホルダー付口栓。
【請求項２】
口栓本体の流導筒部の後方の左右方向中央位置に、上端がコックノズル部に至り下端がホルダー取付鍔部に至る補強用縦リブを設けたことを特徴とする請求項１記載の液漏れ防止ホルダー付口栓。
【発明の詳細な説明】
【技術分野】
【０００１】
本発明は、バッグ・イン・ボックスの外箱に収容される袋状容器に取り付けられる液漏れ防止ホルダー付口栓に関するものである。
【背景技術】
【０００２】
従来、調味料、酒類、乳製品などの液体食品や、医薬品、現像液などの液体内容物には、紙製の外箱にプラスチックフィルムからなる袋状容器を収納するバッグ・イン・ボックスと称される複合容器が広く使用されていた。このバッグ・イン・ボックスは、業務用としては２リッターから３０リッターのものが使用され、袋状容器には、コックノズル付の口栓が取り付けられていた。
【発明の開示】
【発明が解決しようとする課題】
【０００３】
ところで、上述の従来のバッグ・イン・ボックスにおいては、図２（ｂ）に示すように、外箱（３０）に内容物を充填した袋状容器（２０）を収納するときには、袋状容器に取り付けられているコックノズル付の口栓（１０）が、袋状容器の荷重による変形、或いはクリープ特性によって、流通過程や店頭などにおいて液漏れ事故を発生しないように、口栓を上側ほぼ中央位置にして袋状容器を外箱に収納していた。しかしながら、このように口栓を上側にして袋状容器を外箱に収納すると、外箱の内側スペースを大きくしなければならず、バッグ・イン・ボックスの製作費用がコストアップとなった。
【０００４】
本発明は、上述の従来のバッグ・イン・ボックスの問題点を解決したものであり、口栓を下側にして袋状容器を外箱に収納しても、流通過程や店頭などで液漏れの危惧がない液漏れ防止ホルダー付口栓を提供するものである。
【課題を解決するための手段】
【０００５】
すなわち、本発明の第１の発明は、バッグ・イン・ボックスの外箱に収納する袋状容器に取り付ける口栓において、口栓が口栓本体と液漏れ防止ホルダーとからなり、口栓本体は、上方よりコックノズル部、流導筒部、ホルダー取付鍔部、取付環状台座部とからなり、かつ流導筒部の左右側面のほぼ前後方向中央位置に、所定幅の位置決め用縦リブをそれぞれに設け、液漏れ防止ホルダーは、上方より天板、左右側板、下面に取付溝をもつ取付部とからなり、かつ左右側板の下方内側に、口栓本体の流導筒部の左右側面に設けられた位置決め用縦リブの左右両端が当接する幅の段差を前方から所定位置まで設けた振れ止め用横リブを対向させてそれぞれに設け、液漏れ防止ホルダーの取付部の取付溝に、口栓本体のホルダー取付鍔部を挿入させて、液漏れ防止ホルダーを口栓本体に取り付けたことを特徴とする液漏れ防止ホルダー付口栓である。
【０００６】
そして、本発明の第２の発明は、口栓本体の流導筒部の後方の左右方向中央位置に、上端がコックノズル部に至り下端がホルダー取付鍔部に至る補強用縦リブを設けたことを特徴とする第１の発明に記載の液漏れ防止ホルダー付口栓である。
【発明の効果】
【０００７】
本発明の液漏れ防止ホルダー付口栓（１０）を取り付けた袋状容器（２０）を、図２（ａ）に示すように、口栓を下方側に向けて袋状容器を外箱（３０）に収納して、内容物を充填した袋状容器の荷重が口栓の上面や側面に掛かっても、図１（ａ）乃至（ｃ）に示すように、口栓本体（１００）の上方や側方は、口栓本体に取り付けられた液漏れ防止ホルダー（２００）によって、袋状容器の荷重が直接に掛かることがないため、口栓本体が変
形、或いはクリープ特性によって、流通過程や店頭などにおいて、口栓に起因する液漏れ事故を発生することがない。
【０００８】
また、本発明の液漏れ防止ホルダー付口栓を取り付けた袋状容器を、口栓を下方側に向けて袋状容器を外箱に収納すると、外箱の内で占めるスペースを小さくて済むため、バッグ・イン・ボックスの製作費用を削減することができる。
【０００９】
また、液漏れ防止ホルダーの取付部の取付溝に、口栓本体のホルダー取付鍔部を挿入させて、液漏れ防止ホルダーを口栓本体に取り付けた本発明の液漏れ防止ホルダー付口栓は、口栓本体の流導筒部の左右側面に設けられた位置決め用縦リブと液漏れ防止ホルダーの振れ止め用横リブの前方に設けられた段差との当接により位置決めと振れ止めが同時になされる。また、口栓本体の流導筒部の後方に補強用縦リブを設けることにより、口栓本体の強度が増す。
【発明を実施するための最良の形態】
【００１０】
次に、本発明の液漏れ防止ホルダー付口栓の一実施形態について、図を用いて詳細に説明する。
【００１１】
図１は、本実施形態の液漏れ防止ホルダー付口栓の説明図であり、（ａ）は正面図、（ｂ）は右側面図、（ｃ）は背面図である。図３は、キャップを外したときの斜視図である。
【００１２】
本実施形態の液漏れ防止ホルダー付口栓は、業務用の比較的に大容量のバッグ・イン・ボックスの外箱に収納される単層、複層、積層のプラスチックフィルムからなる袋状容器に取り付けられる口栓である。この液漏れ防止ホルダー付口栓は、キャップ本体と液漏れ防止ホルダーとから構成され、この液漏れ防止ホルダー付口栓を取り付けた袋状容器は、内容物を充填したのち、外箱に収納されるときに、袋状容器の外箱内の占有スペースを小さくするために、取り付けられた口栓位置を下方向きにして外箱に収納することができる。
【００１３】
本実施形態の液漏れ防止ホルダー付口栓（１０）の口栓本体（１００）の構造は、図１（ａ）乃至（ｃ）に示すように、袋状容器の注出位置に熱融着法などで取り付けられる取付環状台座部（１１０）の上方に、環状のホルダー取付鍔部（１２０）を設け、このホルダー取付鍔部の上方に、流導筒部（１３０）を設け、この流導筒部の上方に、口栓前方側に注出口（１４１）をもち流導筒部と直角方向のコックノズル部（１４０）を設けるものである。そして、流導筒部の左側と右側の中央位置にそれぞれ位置決め用縦リブ（１３１ａ，１３１ｂ）を設け、後方中央位置に補強用縦リブ（１３２）を設けるものである。
【００１４】
また、本実施形態の液漏れ防止ホルダー付口栓（１０）の液漏れ防止ホルダー（２００）の構造は、図１（ａ）乃至（ｃ）に示すように、上方より天板（２１０）、左右側板（２２０ａ，２２０ｂ）、下面に取付溝（２３１）をもつ取付部（２３０）とからなり、左右側板の下方内側に、口栓本体の流導筒部の左右側面に設けられた位置決め用縦リブの左右両端が当接する幅の段差を前方から所定位置まで設けた振れ止め用横リブ（２２１ａ，２２１ｂ）を対向させてそれぞれに設けるものである。
【００１５】
そして、図３に示す本実施形態の液漏れ防止ホルダー付口栓（１０）の口栓本体と液漏れ防止ホルダーとの組付けは、図１（ａ）乃至（ｃ）に示すように、液漏れ防止ホルダー（２００）の取付部（２３０）の取付溝（２３１）に、口栓本体（１００）のホルダー取付鍔部（１２０）を挿入させて、口栓本体の流導筒部（１３０）の左右側面に設けられた位置決め用縦リブ（１３１ａ，１３１ｂ）の外側面を、液漏れ防止ホルダーの振れ止め用
横リブ（２２１ａ，２２１ｂ）の前方に設けられた段差の内側面と当接させ、また、位置決め用縦リブの後側面を液漏れ防止ホルダーの振れ止め用横リブの段差の後側面に当接させて、液漏れ防止ホルダーを口栓本体に取り付けるものである。
【図面の簡単な説明】
【００１６】
【図１】本発明の一実施形態の液漏れ防止ホルダー付口栓の説明図であって、（ａ）は正面図で、（ｂ）は右側面図で、（ｃ）は背面図である。
【図２】（ａ）は、本発明の一実施形態の液漏れ防止ホルダー付口栓を取り付けた袋状容器を、口栓を下方側に向けて外箱に収納したときの状態を示す説明図であり、（ｂ）は、従来の一例の口栓を取り付けた袋状容器を、口栓を上側中央位置にして外箱に収納したときの状態を示す説明図である。
【図３】本発明の一実施形態の液漏れ防止ホルダー付口栓の開閉用キャップを外したときの斜視図である。
【符号の説明】
【００１７】
１０……口栓
２０……袋状容器
３０……外箱
１００……口栓本体
１１０……取付環状台座部
１２０……ホルダー取付鍔部
１３０……流導筒部
１３１……位置決め用縦リブ
１３２……補強用縦リブ
１４０……コックノズル部
１４１……注出口
１５０……開閉用キャップ
２００……液漏れ防止ホルダー
２１０……天板
２２０……側板
２２１……振れ止め用横リブ
２３０……取付部
２３１……取付溝
【図１】
2006008146.tif 000003
【図２】
2006008146.tif 000004
【図３】
2006008146.tif 000005